(57)【要約】【課題】消費電力が大きくなるのを抑制することが可能なセキュリティ装置を提供する。【解決手段】このセキュリティ装置１０は、ユーザの宅内に設置されるセキュリティ装置１０の本体１１と、本体１１に設けられ、異常が発生した場合に、異常をユーザに報知するための警報音がユーザに聞こえるか否かを判断するように構成され、警報音がユーザに聞こえるか否かの判断に応じて、警報音を発生させ、または、ユーザの宅内の照明８０を点滅させることにより異常をユーザに報知する制御を行う制御部１４とを備える。【選択図】図４
2011081521.tif 000002
【特許請求の範囲】
【請求項１】
ユーザの宅内に設置されるセキュリティ装置本体と、
前記セキュリティ装置本体の内部に設けられ、異常が発生した場合に、前記異常をユーザに報知するための警報音がユーザに聞こえるか否かを判断するとともに、前記警報音がユーザに聞こえるか否かの判断に応じて、前記警報音を発生させ、または、ユーザの宅内の照明を点灯または点滅させることにより前記異常をユーザに報知する制御を行う制御部とを備える、セキュリティ装置。
【請求項２】
前記制御部は、前記警報音がユーザに聞こえないと判断した場合には、前記警報音を発生させずに、前記ユーザの宅内の照明を点灯または点滅させることにより前記異常をユーザに報知するとともに、前記警報音がユーザに聞こえると判断した場合には、前記ユーザの宅内の照明を点灯または点滅させずに、前記警報音を発生させることによりユーザに前記異常を報知する制御を行うように構成されている、請求項１に記載のセキュリティ装置。
【請求項３】
前記制御部は、前記異常の報知時のユーザ周辺の音の大きさと、前記警報音の大きさとに基づいて、ユーザに前記警報音が聞こえるか否かを判断するように構成されている、請求項１または２に記載のセキュリティ装置。
【請求項４】
前記制御部は、前記異常が発生した場合に、照明色または発光パターンの少なくともいずれか一方を前記異常の種類毎に対応して異ならせるように、前記ユーザの宅内の照明を点灯または点滅する制御を行うように構成されている、請求項１〜３のいずれか１項に記載のセキュリティ装置。
【請求項５】
前記セキュリティ装置本体に設けられた通信部をさらに備え、
前記制御部は、前記異常が発生した場合に、前記警報音による報知または前記照明による報知とともに、予め登録された携帯端末に前記異常の情報の通知を前記通信部により行う制御を行うように構成されている、請求項１〜４のいずれか１項に記載のセキュリティ装置。
【請求項６】
前記制御部は、前記警報音がユーザに聞こえないと判断した場合において前記予め登録された携帯端末に前記異常の情報の通知を行う際に、前記異常の情報に加えて、前記警報音がユーザに聞こえない状況である情報の通知を行う制御を行うように構成されている、請求項５に記載のセキュリティ装置。
【請求項７】
前記セキュリティ装置本体に設けられた通信部をさらに備え、
前記制御部は、前記警報音がユーザに聞こえると判断した場合において、前記通信部と通信可能な音を発する機器がオン状態であると判断した場合に、前記オン状態である前記機器から発せられる音の音量を小さくさせる制御を前記通信部を介して行うように構成されている、請求項１〜６のいずれか１項に記載のセキュリティ装置。
【請求項８】
警報音を発生可能な報知部をさらに備え、
前記制御部は、前記警報音がユーザに聞こえると判断した場合に、前記報知部に前記警報音を報知させる制御を行うように構成されている、請求項１〜７のいずれか１項に記載のセキュリティ装置。
【請求項９】
ユーザ周辺の音を検知する音検知部をさらに備え、
前記制御部は、前記音検知部により検知された前記異常発生時のユーザ周辺の音の大きさと、前記警報音の大きさとに基づいて、ユーザに前記警報音が聞こえるか否かを判断するように構成されている、請求項１〜８のいずれか１項に記載のセキュリティ装置。
【請求項１０】
写真画像を表示可能な電子フォトフレームとしての表示部をさらに備える、請求項１〜９のいずれか１項に記載のセキュリティ装置。
【請求項１１】
ユーザの宅内に設置された照明と、
ユーザの宅内に設置されるセキュリティ装置本体と、前記セキュリティ装置本体の内部に設けられ、異常が発生した場合に、前記異常をユーザに報知するための警報音がユーザに聞こえるか否かを判断するとともに、前記警報音がユーザに聞こえるか否かの判断に応じて、前記警報音を発生させ、または、ユーザの宅内の照明を点灯または点滅させることにより前記異常をユーザに報知する制御を行う制御部とを含むセキュリティ装置とを備える、セキュリティシステム。
【請求項１２】
前記セキュリティ装置の制御部は、前記異常が発生した場合に、照明色または発光パターンの少なくともいずれか一方を前記異常の種類ごとに対応して異ならせるように、前記ユーザの宅内の照明を点灯または点滅する制御を行うように構成されている、請求項１１に記載のセキュリティシステム。
【発明の詳細な説明】
【技術分野】
【０００１】
この発明は、セキュリティ装置およびセキュリティシステムに関し、特に、異常をユーザに報知するセキュリティ装置およびセキュリティシステムに関する。
【背景技術】
【０００２】
従来、異常をユーザに報知するセキュリティ装置およびセキュリティシステムが知られている（たとえば、特許文献１〜３参照）。
【０００３】
上記特許文献１には、人の侵入（異常）が検知された場合に、ブザー音を発生させると同時に照明器具を点灯または点滅させる制御を行うマスターコントローラ（制御部）を備える照明制御システム（セキュリティシステム）が開示されている。
【０００４】
また、上記特許文献２には、警報音を発生可能な音出力部と、センサ（異常検知部）により人の検知がされた場合に、警報音を発生させると同時に光源部（照明）を点滅させる制御を行う制御部とを備える防犯装置（セキュリティシステム）が開示されている。上記特許文献２による防犯装置の制御部は、夜間など周囲の環境騒音が小さい場合には、音出力部から発生させる警報音が近隣の騒音にならないように警報音の音量を下げるとともに警報音の周波数を変化させる制御を行う。また、防犯装置の制御部は、昼間など周囲の環境騒音が夜間よりも大きい場合には、音出力部から発生させる警報音が周囲の環境騒音に埋もれないように警報音の音量を上げるとともに警報音の周波数を変化させる制御を行う。
【０００５】
また、上記特許文献３には、火災報知器から報知される警報音をマイクにより取得した場合に、照明器具（照明）を点灯制御する照明システム（セキュリティシステム）が開示されている。
【先行技術文献】
【特許文献】
【０００６】
【特許文献１】特開２００４−４７３４６号公報
【特許文献２】特開２００５−３０１３５５号公報
【特許文献３】特開２００８−２０４３９３号公報
【発明の概要】
【発明が解決しようとする課題】
【０００７】
しかしながら、上記特許文献１〜３による照明制御システム（セキュリティシステム）などでは、照明の点灯または点滅は、必ず、警報音の報知と共に行われる。このため、異常の報知が行われるごとに照明の点灯または点滅、および、警報音の報知の両方が行われることに起因して、セキュリティシステム（セキュリティ装置）の消費電力が大きくなるという問題点がある。
【０００８】
この発明は、上記のような課題を解決するためになされたものであり、この発明の１つの目的は、消費電力が大きくなるのを抑制することが可能なセキュリティ装置およびセキュリティシステムを提供することである。
【課題を解決するための手段および発明の効果】
【０００９】
この発明の第１の局面によるセキュリティ装置は、ユーザの宅内に設置されるセキュリティ装置本体と、セキュリティ装置本体の内部に設けられ、異常が発生した場合に、異常をユーザに報知するための警報音がユーザに聞こえるか否かを判断するとともに、警報音がユーザに聞こえるか否かの判断に応じて、警報音を発生させ、または、ユーザの宅内の照明を点灯または点滅させることにより異常をユーザに報知する制御を行う制御部とを備える。
【００１０】
この第１の局面によるセキュリティ装置では、上記のように、異常が発生した場合に、異常をユーザに報知するための警報音がユーザに聞こえるか否かを判断するとともに、警報音がユーザに聞こえるか否かの判断に応じて、警報音を発生させ、または、ユーザの宅内の照明を点灯または点滅させることにより異常をユーザに報知することによって、警報音がユーザに聞こえるか聞こえないかの判断に基づいて、警報音、または、照明の点灯または点滅のいずれかを選択して異常をユーザに報知することができる。これにより、警報音と照明の点灯または点滅との両方を行わなくてもユーザに異常を報知することができるので、常に警報音と照明の点灯または点滅との両方により報知する場合と比べて、異常の報知時にセキュリティ装置の消費電力が大きくなるのを抑制することができる。
【００１１】
上記第１の局面によるセキュリティ装置において、好ましくは、制御部は、警報音がユーザに聞こえないと判断した場合には、警報音を発生させずに、ユーザの宅内の照明を点灯または点滅させることにより異常をユーザに報知するとともに、警報音がユーザに聞こえると判断した場合には、ユーザの宅内の照明を点灯または点滅させずに、警報音を発生させることによりユーザに異常を報知する制御を行うように構成されている。このように構成すれば、警報音がユーザに聞こえない環境下において、警報音を発生させずにユーザの宅内の照明を点灯または点滅させることにより異常をユーザに報知し、警報音がユーザに聞こえる環境下において、ユーザの宅内の照明を点灯または点滅させずに警報音を発生させることにより異常をユーザに報知することができる。これにより、音と光のいずれか片方のみを用いることにより異常をユーザに報知することができるので、異常の報知時にセキュリティ装置の消費電力が大きくなるのをより抑制することができる。
【００１２】
上記第１の局面によるセキュリティ装置において、好ましくは、制御部は、異常の報知時のユーザ周辺の音の大きさと、警報音の大きさとに基づいて、ユーザに警報音が聞こえるか否かを判断するように構成されている。このように構成すれば、異常の報知時のユーザ周辺の音の大きさと警報音の大きさとを比較するなどして、警報音がユーザに聞こえるか否かを容易に判断することができる。
【００１３】
上記第１の局面によるセキュリティ装置において、好ましくは、制御部は、異常が発生した場合に、照明色または発光パターンの少なくともいずれか一方を異常の種類毎に対応して異ならせるように、ユーザの宅内の照明を点灯または点滅する制御を行うように構成されている。このように構成すれば、照明により異常が報知された場合に、異常の種類毎に対応した色またはパターンに基づいて、容易に、ユーザは異常の種類を認識することができる。
【００１４】
上記第１の局面によるセキュリティ装置において、好ましくは、セキュリティ装置本体に設けられた通信部をさらに備え、制御部は、異常が発生した場合に、警報音による報知または照明による報知とともに、予め登録された携帯端末に異常の情報の通知を通信部により行う制御を行うように構成されている。このように構成すれば、たとえば、予め登録された携帯端末を宅内にいるユーザ以外の第三者が持つようにすれば、宅内にいるユーザ以外の外出などしている第三者に異常の報知を行うことができるので、より確実に異常の報知を行うことができる。
【００１５】
この場合において、好ましくは、制御部は、警報音がユーザに聞こえないと判断した場合において予め登録された携帯端末に異常の情報の通知を行う際に、異常の情報に加えて、警報音がユーザに聞こえない状況である情報の通知を行う制御を行うように構成されている。このように構成すれば、異常の通知が行われた予め登録された携帯端末の外出などしているユーザに対して、より正確な異常の情報を報知することができる。
【００１６】
上記第１の局面によるセキュリティ装置において、好ましくは、セキュリティ装置本体に設けられた通信部をさらに備え、制御部は、警報音がユーザに聞こえると判断した場合において、通信部と通信可能な音を発する機器がオン状態であると判断した場合に、オン状態である機器から発せられる音の音量を小さくさせる制御を通信部を介して行うように構成されている。このように構成すれば、警報音により異常を報知する場合に、音を発する機器が発する音量を小さくすることにより、ユーザに警報音をより届きやすくすることができる。
【００１７】
上記第１の局面によるセキュリティ装置において、好ましくは、警報音を発生可能な報知部をさらに備え、制御部は、警報音がユーザに聞こえると判断した場合に、報知部に警報音を報知させる制御を行うように構成されている。このように構成すれば、セキュリティ装置以外に警報音を発生させる機器がない場合にも、セキュリティ装置の報知部により警報音を発生させることができる。
【００１８】
上記第１の局面によるセキュリティ装置において、好ましくは、ユーザ周辺の音を検知する音検知部をさらに備え、制御部は、音検知部により検知された異常報知時のユーザ周辺の音の大きさと、警報音の大きさとに基づいて、ユーザに警報音が聞こえるか否かを判断するように構成されている。このように構成すれば、音検知部によりセキュリティ装置の近くにいると考えられるユーザ周辺の音の大きさを容易に検知することができるので、ユーザに警報音が聞こえるか否かを容易に判断することができる。
【００１９】
上記第１の局面によるセキュリティ装置において、好ましくは、写真画像を表示可能な電子フォトフレームとしての表示部をさらに備える。このように構成すれば、セキュリティ端末を電子フォトフレームとしても用いることができる。
【００２０】
この発明の第２の局面によるセキュリティシステムは、ユーザの宅内に設置された照明と、ユーザの宅内に設置されるセキュリティ装置本体と、セキュリティ装置本体の内部に設けられ、異常が発生した場合に、異常をユーザに報知するための警報音がユーザに聞こえるか否かを判断するとともに、警報音がユーザに聞こえるか否かの判断に応じて、警報音を発生させ、または、ユーザの宅内の照明を点灯または点滅させることにより異常をユーザに報知する制御を行う制御部とを含むセキュリティ装置とを備える。
【００２１】
この第２の局面によるセキュリティシステムでは、上記のように、異常が発生した場合に、異常をユーザに報知するための警報音がユーザに聞こえるか否かを判断するとともに、警報音がユーザに聞こえるか否かの判断に応じて、警報音を発生させ、または、ユーザの宅内の照明を点灯または点滅させることにより異常をユーザに報知することによって、警報音がユーザに聞こえるか聞こえないかの判断に基づいて、警報音、または、照明の点灯または点滅のいずれかを選択して異常をユーザに報知することができる。これにより、警報音と照明の点灯または点滅との両方を行わなくてもユーザに異常を報知することができるので、常に警報音と照明の点灯または点滅との両方により報知する場合と比べて、異常の報知時にセキュリティ装置の消費電力が大きくなるのを抑制することができる。
【００２２】
上記第２の局面によるセキュリティシステムにおいて、好ましくは、セキュリティ装置の制御部は、異常が発生した場合に、照明色または発光パターンの少なくともいずれか一方を異常の種類毎に対応して異ならせるように、ユーザの宅内の照明を点灯または点滅する制御を行うように構成されている。このように構成すれば、照明により異常が報知された場合に、異常の種類毎に対応した色またはパターンに基づいて、容易に、ユーザは異常の種類を認識することができる。
【図面の簡単な説明】
【００２３】
【図１】本発明の一実施形態によるセキュリティシステムの構成を説明するためのシステム図である。
【図２】本発明の一実施形態によるセキュリティシステムの構成を説明するためのブロック図である。
【図３】本発明の一実施形態によるセキュリティシステムのセキュリティ装置が警報を報知する際の照明色および発光パターンを示した図である。
【図４】本発明の一実施形態によるセキュリティシステムのセキュリティ装置の制御部および照明の制御部の制御フローを説明するためのフローチャートである。
【発明を実施するための形態】
【００２４】
以下、本発明を具体化した実施形態を図面に基づいて説明する。
【００２５】
まず、図１および図２を参照して、本発明の一実施形態によるセキュリティシステム１の構成について説明する。
【００２６】
図１に示すように、セキュリティシステム１は、異常が発生した場合にユーザに異常を報知するためのセキュリティ装置１０と、宅内通信によりセキュリティ装置１０と通信可能なテレビジョン装置２１およびオーディオ装置２２と、Ｂｌｕｅｔｏｏｔｈ（登録商標）によりセキュリティ装置１０と通信可能なヘッドフォン３０と、外部の通信基地局１００を利用してセキュリティ装置１０と通信可能な携帯端末４０と、微弱電波によりセキュリティ装置１０と通信可能な室内センサ５０、室外センサ６０、火災センサ７０および照明８０とにより構成されている。なお、テレビジョン装置２１、オーディオ装置２２およびヘッドフォン３０は、本発明の「音を発する機器」の一例である。
【００２７】
セキュリティ装置１０は、ユーザの宅内に設置されており、電子フォトフレーム型の形態を有する本体１１を有する。なお、本体１１は、本発明の「セキュリティ装置本体」の一例である。このセキュリティ装置１０は、図２に示すように、写真画像を電子的に表示可能な表示部１２と、電源部１３と、セキュリティ装置１０の制御を司る制御部１４と、電子メールアドレスなどが記憶されている記憶部１５と、通信制御部１６と、ＷＡＮ（Ｗｉｄｅ  Ａｒｅａ  Ｎｅｔｗｏｒｋ）およびＬＡＮ（Ｌｏｃａｌ  Ａｒｅａ  Ｎｅｔｗｏｒｋ）に対応するネットワークインターフェース１６ａとにより構成されている。また、セキュリティ装置１０は、さらに、特定小電力無線モジュール１７と、アンテナ１８ａと、Ｂｌｕｅｔｏｏｔｈモジュール１８と、アンテナ１８ａと、スピーカ１９と、マイクロフォン２０とにより構成されている。なお、通信制御部１６、特定小電力無線モジュール１７およびＢｌｕｅｔｏｏｔｈモジュール１８は、それぞれ、本発明の「通信部」の一例である。また、スピーカ１９は、本発明の「報知部」の一例であり、マイクロフォン２０は、本発明の「音検知部」の一例である。
【００２８】
また、電源部１３は、セキュリティ装置１０の各部に電力を供給する機能を有する。通信制御部１６は、テレビジョン装置２１、オーディオ装置２２および携帯端末４０とデータ通信する際のデータの情報処理を行う機能を有する。ネットワークインターフェース１６ａは、ＷＡＮまたはＬＡＮを用いることによって、テレビジョン装置２１、オーディオ装置２２および携帯端末４０との間で通信を行う機能を有する。特定小電力無線モジュール１７は、発信する電波の最大電力強さが所定の大きさ（０．０１Ｗ）以下の無線通信モジュールであり、近距離の機器間の通信で用いられる。この場合、セキュリティ装置１０は、特定小電力無線モジュール１７によって、アンテナ１８ａを介して微弱電波を発信することにより、室内センサ５０、室外センサ６０、火災センサ７０および照明８０と通信可能に構成されている。また、Ｂｌｕｅｔｏｏｔｈモジュール１８は、アンテナ１８ａを介して、ヘッドフォン３０と相互にデータ通信ができるように構成されている。また、Ｂｌｕｅｔｏｏｔｈモジュール１８には、ヘッドフォン３０と通信可能なように予めペアリングパスキーが設定されている。なお、ペアリングパスキーとは、Ｂｌｕｅｔｏｏｔｈモジュールを有する機器間でＢｌｕｅｔｏｏｔｈ通信を行うために、各Ｂｌｕｅｔｏｏｔｈモジュールで設定可能な通信暗号である。また、スピーカ１９は、異常が発生した場合に、警報音を発生可能に構成されている。また、マイクロフォン２０は、セキュリティ装置１０周辺の音を検知するために設けられている。このマイクロフォン２０によりユーザ周辺の音を検知することが可能である。
【００２９】
ここで、本実施形態では、セキュリティ装置１０の制御部１４は、本体１１に設けられている。この制御部１４は、室内センサ５０、室外センサ６０および火災センサ７０から異常の信号が通知された場合に、異常をユーザに報知するための警報音がユーザに聞こえるか否かを判断する機能を有する。そして、制御部１４は、警報音がユーザに聞こえるか否かの判断に応じて、警報音を発生させ、または、ユーザの宅内の照明８０を点滅させることにより、ユーザに異常を報知する機能を有する。具体的には、制御部１４は、マイクロフォン２０によりセキュリティ装置１０周囲の音を集音するように構成されている。そして、制御部１４は、集音した音の大きさとスピーカ１９から発生可能な警報音の大きさとを比較することにより、ユーザに警報音が聞こえるか否かを判断するように構成されている。そして、制御部１４は、警報音がユーザに聞こえると判断した場合には、スピーカに警報音を発生させることによりユーザに異常を報知し、警報音がユーザに聞こえないと判断した場合には、ユーザの宅内の照明８０を点滅させることによりユーザに異常を報知する制御を行うように構成されている。また、記憶部１５には、異常が発生した場合に異常があったことを通知するために、携帯端末４０などの電子メールのアドレスが予め登録されている。制御部１４は、異常が発生した場合に、記憶部１５に記憶された携帯端末４０などの電子メールのアドレスに、異常があったことが記載された電子メールを送信する制御を行うように構成されている。
【００３０】
テレビジョン装置２１およびオーディオ装置２２は、ＬＡＮケーブル（図示せず）によりセキュリティ装置１０と接続されており、セキュリティ装置１０と通信可能に構成されている。具体的には、テレビジョン装置２１は、電源部２１ａと、テレビジョン装置２１の制御を司る制御部２１ｂと、通信制御部２１ｃと、ネットワークインターフェース２１ｄと、スピーカ部２１ｅとにより主に構成されている。また、オーディオ装置２２は、電源部２２ａと、オーディオ装置２２の制御を司る制御部２２ｂと、通信制御部２２ｃと、ネットワークインターフェース２２ｄと、スピーカ部２２ｅとにより主に構成されている。電源部２１ａおよび２２ａは、それぞれ、テレビジョン装置２１およびオーディオ装置２２の各部に電力を供給する機能を有する。通信制御部２１ｃおよび２２ｃは、セキュリティ装置１０とデータ通信する際のデータの情報処理を行う機能を有する。ネットワークインターフェース２１ｄおよび２２ｄは、ＷＡＮまたはＬＡＮを用いることによって、セキュリティ装置１０と通信処理をする機能を有する。また、スピーカ部２１ｅおよび２２ｅは、それぞれ、テレビジョン装置２１およびオーディオ装置２２の使用時に音声を発するように構成されている。これらスピーカ部２１ｅおよび２２ｅから発せられる音声の大きさは、それぞれ、制御部２１ｂおよび２２ｂにより調整可能に構成されている。また、制御部２１ｂおよび２２ｂは、それぞれ、通信制御部２１ｃおよび２２ｃを介して、セキュリティ装置１０から送信される操作信号に基づいて、スピーカ部２１ｅおよび２２ｅから発せられる音声の大きさを変更することが可能なように構成されている。
【００３１】
ヘッドフォン３０は、上記のようにペアリングパスキーを設定することにより、Ｂｌｕｅｔｏｏｔｈ通信によりセキュリティ装置１０と接続されている。具体的には、ヘッドフォン３０は、電源部３０ａと、ヘッドフォン３０の制御を司る制御部３０ｂと、Ｂｌｕｅｔｏｏｔｈモジュール３０ｃと、アンテナ３０ｄと、スピーカ部３０ｅとにより主に構成されている。電源部３０ａは、ヘッドフォン３０の各部に電力を供給する機能を有する。Ｂｌｕｅｔｏｏｔｈモジュール３０ｃは、アンテナ３０ｄを介してセキュリティ装置１０とデータ通信する際のデータの情報処理を行う機能を有する。また、Ｂｌｕｅｔｏｏｔｈモジュール３０ｃは、Ｂｌｕｅｔｏｏｔｈモジュールが内蔵されたオーディオ装置（図示せず）などと接続可能に構成されている。そして、制御部３０ｂは、オーディオ装置（図示せず）により再生中の音声信号をＢｌｕｅｔｏｏｔｈモジュール３０ｃを介して取得可能に構成されている。つまり、このヘッドフォン３０は、音声ケーブル（図示せず）がオーディオ装置（図示せず）に接続されていない場合にも、Ｂｌｕｅｔｏｏｔｈ通信により、スピーカ部３０ｅからオーディオ装置（図示せず）により再生中の音声を発することが可能なように構成されている。また、制御部３０ｂは、Ｂｌｕｅｔｏｏｔｈモジュール３０ｃを介してセキュリティ装置１０から送信される操作信号に基づいて、スピーカ部３０ｅから発せられる音声の大きさを変更することが可能なように構成されている。
【００３２】
携帯端末４０は、上記セキュリティ装置１０の記憶部１５に記憶された電子メールのアドレスが割り当てられている携帯端末であり、外部の通信基地局１００を利用してインターネット通信可能に構成されている。具体的には、携帯端末４０は、電源部４１と、携帯端末４０の制御を司る制御部４２と、通信制御部４３と、ＷＡＮ（Ｗｉｄｅ  Ａｒｅａ  Ｎｅｔｗｏｒｋ）に対応するネットワークインターフェース４４と、アンテナ４５と、ＬＣＤディスプレイからなる表示部４６とにより構成されている。電源部４１は、携帯端末４０の各部に電力を供給する機能を有する。通信制御部４３は、セキュリティ装置１０から送信された電子メールなどの受信処理を行うとともに、携帯端末４０から送信する電子メールなどの送信処理を行う機能を有する。また、外部ネットワークインターフェース４４は、通信基地局１００（図１参照）から送信される電子メールなどをアンテナ４５を介して受信するとともにアンテナ４５を介して電子メールなどを送信する窓口機能を有している。また、表示部４６は、携帯端末４０を操作する際の操作画面を表示するとともに、受信した電子メールなどを表示する機能を有する。
【００３３】
室内センサ５０および室外センサ６０は、図１に示すように、ユーザ宅の室内（図示せず）および室外に設置されており、室内および室外に人間が存在するか否かを検知する人感センサである。また、室内センサ５０および室外センサ６０は、それぞれ、室内および室外に人間が存在するか否かをセキュリティ装置１０に通知するように構成されている。具体的には、室内センサ５０は、図２に示すように、電源部５１と、室内センサ５０の制御を司る制御部５２と、特定小電力無線モジュール５３と、アンテナ５４と、人間の存在を検知する検知部５５とにより構成されている。また、室外センサ６０は、室内センサ５０と同様に、電源部６１、制御部６２、特定小電力無線モジュール６３、アンテナ６４および検知部６５によって構成されている。電源部５１および６１は、それぞれ、室内センサ５０および室外センサ６０の各部に電力を供給する機能を有する。特定小電力無線モジュール５３および６３は、上記セキュリティ装置１０の特定小電力無線モジュール１７と同様に、発信する電波の最大電力強さが所定の大きさ（０．０１Ｗ）以下の無線通信モジュールである。この場合、特定小電力無線モジュール５３および６３によって、室内センサ５０および室外センサ６０は、それぞれ、アンテナ５４および６４を介して微弱電波を発信することにより、セキュリティ装置１０と通信可能に構成されている。また、検知部５５および６５は、人間が発する赤外線などを検知するように構成されている。そして、制御部５２および６２は、それぞれ、セキュリティ装置１０からの要求により、検知部５５および６５により室内および室外に人間がいることを検知したか否かの情報を特定小電力無線により送信する制御を行うように構成されている。
【００３４】
火災センサ７０は、図１に示すように、ユーザ宅の室内（図示せず）に設置されており、室内において火が発生しているか否かを検知する機能を有する。また、火災センサ７０は、室内において火が発生しているか否かをセキュリティ装置１０に特定小電力無線により通知するように構成されている。なお、火災センサ７０の構成は、上記室内センサ５０および室外センサ６０と同様に、図２に示すように、電源部７１、制御部７２、特定小電力無線モジュール７３、アンテナ７４および検知部７５によって構成されている。
【００３５】
照明８０は、図１に示すように、ユーザ宅の室内に設置されている。この照明８０は、図２に示すように、電源部８１と、照明８０の制御を司る制御部８２と、特定小電力無線モジュール８３と、アンテナ８４と、記憶部８５と、照明８０の光源となる赤ＬＥＤ８６、青ＬＥＤ８７および緑ＬＥＤ８８とにより構成されている。電源部８１は、照明８０の各部に電力を供給する機能を有する。特定小電力無線モジュール８３は、発信する電波の最大電力強さが所定の大きさ（０．０１Ｗ）以下の無線通信モジュールである。この場合、照明８０は、特定小電力無線モジュール８３によって、アンテナ８４を介して微弱電波を発信することにより、セキュリティ装置１０と通信可能に構成されている。また、記憶部８５には、図３に示すように、後述する赤ＬＥＤ８６、青ＬＥＤ８７および緑ＬＥＤ８８の照明パターンが予め記憶されている。
【００３６】
また、本実施形態では、制御部８２は、異常が発生した場合における警報音がユーザに聞こえないとセキュリティ装置１０の制御部１４が判断した場合に、制御部１４からの操作信号に基づいて、赤ＬＥＤ８６、青ＬＥＤ８７および緑ＬＥＤ８８のいずれか１つの点滅制御を行うように構成されている。具体的には、図３に示すように、制御部８２は、火災センサ７０により検知された場合には、短い時間Ｔ１の点灯が所定の時間間隔で繰り返されることにより点滅される第１のパターンで赤ＬＥＤ８６を制御するように構成されている。また、制御部８２は、室内センサ５０により検知された場合には、短い時間Ｔ２の点灯および時間Ｔ２よりも長い時間Ｔ３の点灯が交互に繰り返されることにより点滅される第２のパターンで青ＬＥＤ８７を制御するように構成されている。また、制御部８２は、室外センサ６０により検知された場合には、時間Ｔ１、Ｔ２およびＴ３よりも長い時間Ｔ４の点灯が所定の時間間隔で繰り返されることにより点滅される第３のパターンで緑ＬＥＤ８８を制御するように構成されている。つまり、制御部８２は、異常が発生した場合に、異常（火災センサ７０、室内センサ５０および室外センサ６０の異常）の種類毎に対応して色および点滅パターンを異ならせるように、ユーザの宅内の照明８０を点滅する制御を行うように構成されている。
【００３７】
次に、図２〜図４を参照して、本発明の一実施形態によるセキュリティシステム１のセキュリティ装置１０の制御部１４および照明８０の制御部８２の制御フローについて説明する。まず、セキュリティ装置１０の制御部１４の制御フローについて説明する。
【００３８】
図４に示すように、ステップＳ１において、セキュリティ装置１０の制御部１４（図２参照）により、室内センサ５０、室外センサ６０および火災センサ７０のいずれかから異常の検知を受信したか否かが判断される。そして、ステップＳ１において、異常の検知を受信しない場合には、異常の検知を受信するまでこの判断は繰り返される。また、ステップＳ１において、室内センサ５０、室外センサ６０および火災センサ７０のいずれかから異常の検知を受信した場合には、ステップＳ２に進む。
【００３９】
その後、ステップＳ２において、制御部１４は、マイクロフォン２０により検出された音（ユーザの周囲の音）を取得するとともに、ステップＳ３において、マイクロフォン２０により検出されたユーザの周囲の音の音量と、スピーカ１９から発生可能な警報音の音量とを比較して、警報音が周囲に聞こえるか否かを判断する。そして、ステップＳ３において、警報音の音量が周囲に聞こえると判断された場合には、ステップＳ４に進む。
【００４０】
そして、ステップＳ４において、照明８０を点滅させることなくスピーカ１９に警報音を報知させ、ステップＳ５に進む。そして、ステップＳ５において、テレビジョン装置２１、オーディオ装置２２およびヘッドフォン３０などの音を発する機器がオン状態であるか否かが判断される。具体的には、ステップＳ５において、通信制御部１６およびネットワークインターフェース１６ａを介して、テレビジョン装置２１およびオーディオ装置２２にオン状態であるか否かを確認する確認信号が送信される。そして、確認信号に対する信号が返信された場合には、テレビジョン装置２１およびオーディオ装置２２がオン状態であると判断され、信号が返信されない場合には、テレビジョン装置２１およびオーディオ装置２２がオフ状態であると判断される。また、Ｂｌｕｅｔｏｏｔｈモジュール１８およびアンテナ１８ａを介して、ヘッドフォン３０がオン状態であるか否かを確認する確認信号が送信される。そして、確認信号に対する信号が返信された場合には、ヘッドフォン３０がオン状態であると判断され、信号が返信されない場合には、ヘッドフォン３０がオフ状態であると判断される。
【００４１】
そして、ステップＳ５において、テレビジョン装置２１、オーディオ装置２２およびヘッドフォン３０などの音を発する機器がオン状態であると判断された場合には、ステップＳ６に進む。そして、ステップＳ６において、オン状態であるテレビジョン装置２１、オーディオ装置２２およびヘッドフォン３０に音量を下げる信号が送信される。つまり、制御部１４は、テレビジョン装置２１、オーディオ装置２２およびヘッドフォン３０に音量を下げることを指示する。これにより、テレビジョン装置２１の制御部２１ｂ、オーディオ装置２２の制御部２２ｂおよびヘッドフォン３０の制御部３０ｂは、それぞれ、テレビジョン装置２１のスピーカ部２１ｅ、オーディオ装置２２のスピーカ部２２ｅおよびヘッドフォン３０のスピーカ部３０ｅに音量を下げる制御を行う。また、ステップＳ５において、テレビジョン装置２１、オーディオ装置２２およびヘッドフォン３０などの音を発する機器がオン状態ではないと判断された場合には、ステップＳ７に進む。
【００４２】
その後、ステップＳ７において、記憶部１５に予め記憶されている携帯端末４０の電子メールアドレスに、異常が発生した旨が記載された電子メールが送信される。なお、この携帯端末４０の電子メールには、異常のあったセンサ（室内センサ５０、室外センサ６０および火災センサ７０）が記載されている。つまり、この電子メールには、異常の具体的な箇所が記載されているので、ユーザは具体的にどのような異常があったのかを把握することが可能である。
【００４３】
また、ステップＳ３において、警報音の音量が周囲に聞こえないと判断された場合には、ステップＳ８に進む。そして、ステップＳ８において、室内センサ５０で検知された異常である場合には、特定小電力モジュール１６およびアンテナ１８ａを介して、室内センサ５０で検知された異常であることに対応する信号が照明８０に無線通信される。また、室外センサ６０で検知された異常である場合には、室外センサ６０で検知された異常であることに対応する信号が照明８０に無線通信され、火災センサ７０で検知された異常である場合には、火災センサ７０で検知された異常であることに対応する信号が照明８０に無線通信される。これにより、後述する照明８０の制御フローが実行される。
【００４４】
その後、ステップＳ９において、記憶部１５に予め記憶されている携帯端末４０の電子メールアドレスに、異常が発生した旨が記載された電子メールが送信される。なお、この携帯端末４０の電子メールには、異常のあったセンサ（室内センサ５０、室外センサ６０および火災センサ７０）が記載されている。また、ステップＳ９では、警報音が聞こえる状態において電子メールを送信する上記ステップＳ７とは異なり、上記異常の情報に加えて、警報音が宅内のユーザに聞こえない状況である旨の情報の通知も行われる。
【００４５】
その後、ステップＳ１０において、ユーザなどにより警報音の停止ボタン（図示せず）が押圧されることにより、警報解除信号が受信されたか否かが判断される。そして、ステップＳ１０において、上記判断が繰り返され、警報解除信号が受信されたと判断された場合には、ステップＳ１１に進む。
【００４６】
そして、ステップＳ１１において、警報が解除され、セキュリティ装置１０の制御部１４の制御フローが終了する。なお、ステップＳ１１において、特定小電力モジュール１６およびアンテナ１８ａを介して、警報解除指示の信号が照明８０に無線送信される。
【００４７】
次に、照明８０の制御部８２の制御フローについて説明する。
【００４８】
ステップＳ２１において、照明８０の制御部８２により、上述したステップＳ８においてセキュリティ装置１０の制御部１４から送信された照明警報指示信号（室内センサ５０、室外センサ６０および火災センサ７０のいずれかの異常の信号）が取得される。
【００４９】
その後、ステップＳ２２において、制御部８２により、上記ステップＳ２１において受諾した信号が火災センサ７０の異常に基づいた信号であるか否かが判断される。そして、ステップＳ２２において、受諾した信号が火災センサ７０の異常に基づいた信号であると判断された場合には、ステップＳ２３に進む。そして、ステップＳ２３において、火災センサ７０の異常の場合に対応する第１のパターン（図３参照）で照明８０の赤ＬＥＤ８６を点滅させ、後述するステップＳ２８に進む。また、ステップＳ２２において、受諾した信号が火災センサ７０の異常に基づいた信号ではないと判断された場合には、ステップＳ２４に進む。
【００５０】
その後、ステップＳ２４において、上記ステップＳ２１において受諾した信号が室内センサ５０の異常に基づいた信号であるか否かが判断される。そして、ステップＳ２４において、受諾した信号が室内センサ５０の異常に基づいた信号であると判断された場合には、ステップＳ２５に進む。そして、ステップＳ２５において、室内センサ５０の異常の場合に対応する第２のパターン（図３参照）で照明８０の青ＬＥＤ８７を点滅させ、後述するステップＳ２８に進む。また、ステップＳ２４において、受諾した信号が室内センサ５０の異常に基づいた信号ではないと判断された場合には、ステップＳ２６に進む。
【００５１】
そして、ステップＳ２６において、上記ステップＳ２１において受諾した信号が室外センサ６０の異常に基づいた信号であると判断され、ステップＳ２７に進む。その後、ステップＳ２７において、室外センサ６０の異常の場合に対応する第３のパターン（図３参照）で照明８０の緑ＬＥＤ８８を点滅させ、ステップＳ２８に進む。
【００５２】
その後、ステップＳ２８において、上述したステップＳ１１においてセキュリティ装置１０の制御部１４から送信された警報解除指示信号が受諾される。つまり、ユーザなどにより警報音の停止ボタン（図示せず）が押圧されたことが認識される。そして、ステップＳ２９において、警報が解除され、照明８０の制御部８２の制御フローが終了される。
【００５３】
本実施形態では、上記のように、異常が発生した場合に、異常をユーザに報知するための警報音がユーザに聞こえるか否かを判断するとともに、警報音がユーザに聞こえるか否かの判断に応じて、警報音を発生させ、または、ユーザの宅内の照明８０を点滅させることにより異常をユーザに報知することによって、警報音がユーザに聞こえるか聞こえないかの判断に基づいて、警報音または照明８０の点滅のいずれかを選択して異常をユーザに報知することができる。これにより、警報音と照明８０の点滅との両方を行わなくてもユーザに異常を報知することができるので、常に警報音と照明８０の点滅との両方により報知する場合と比べて、異常の報知時にセキュリティ装置１０の消費電力が大きくなるのを抑制することができる。
【００５４】
また、本実施形態では、上記のように、警報音がユーザに聞こえないと判断した場合には、警報音を発生させずに、ユーザの宅内の照明８０を点滅させることにより異常をユーザに報知するとともに、警報音がユーザに聞こえると判断した場合には、ユーザの宅内の照明８０を点滅させずに、警報音を発生させることによりユーザに異常を報知することによって、警報音がユーザに聞こえない環境下において、警報音を発生させずにユーザの宅内の照明８０を点滅させることにより異常をユーザに報知し、警報音がユーザに聞こえる環境下において、ユーザの宅内の照明８０を点滅させずに警報音を発生させることにより異常をユーザに報知することができる。これにより、音と光のいずれか片方のみを用いることにより異常をユーザに報知することができるので、異常の報知時にセキュリティ装置の消費電力が大きくなるのをより抑制することができる。
【００５５】
また、本実施形態では、上記のように、異常の報知時のユーザ周辺の音の大きさと、警報音の大きさとに基づいて、ユーザに警報音が聞こえるか否かを判断することによって、異常の報知時のユーザ周辺の音の大きさと警報音の大きさとを比較するなどして、警報音がユーザに聞こえるか否かを容易に判断することができる。
【００５６】
また、本実施形態では、上記のように、異常が発生した場合に、照明色および発光パターンを異常の種類ごとに対応して異ならせるように、ユーザの宅内の照明８０を点滅する制御を行うことによって、照明８０により異常が報知された場合に、異常の種類（室内センサ５０の異常、室外センサ６０の異常および火災センサ７０の異常）ごとに対応した照明８０の色または点滅パターンに基づいて、容易に、ユーザは異常の種類を認識することができる。
【００５７】
また、本実施形態では、上記のように、異常が発生した場合に、スピーカ１９による警報音の報知または照明８０による報知とともに、通信制御部１６およびネットワークインターフェース１６ａにより予め登録された携帯端末４０に異常の情報の通知を行うことによって、予め登録された携帯端末４０を宅内にいるユーザ以外の第三者が持つようにすれば、宅内にいるユーザ以外の外出などしている第三者に異常の報知を行うことができるので、より確実に異常の報知を行うことができる。
【００５８】
また、本実施形態では、上記のように、警報音がユーザに聞こえると判断した場合において、通信部（通信制御部１６およびＢｌｕｅｔｏｏｔｈモジュール１８）と通信可能な音を発する機器（テレビジョン装置２１、オーディオ装置２２およびヘッドフォン３０）がオン状態であると判断した場合に、オン状態である機器（テレビジョン装置２１、オーディオ装置２２およびヘッドフォン３０）から発せられる音の音量を小さくさせる制御を行うことによって、警報音により異常を報知する場合に、音を発する機器が発する音量を小さくすることにより、ユーザに警報音をより届きやすくすることができる。
【００５９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６０】
たとえば、上記実施形態では、電子フォトフレームにセキュリティ機能を搭載したセキュリティ装置を本発明に適用した例について示したが、本発明はこれに限られない。たとえば、テレビジョン装置およびルータなどにセキュリティ機能を搭載したセキュリティ装置など、フォトフレーム以外の機器にセキュリティ機能を搭載したセキュリティ装置を本発明に適用してもよい。また、他の機器の機能を統合させることなく、セキュリティ機能のみの機能を有するセキュリティ装置を本発明に適用してもよい。
【００６１】
また、上記実施形態では、警報音がユーザに聞こえないと判断した場合には、警報音を発生させずに、照明を点滅させた例について示したが、本発明はこれに限られない。たとえば、警報音がユーザに聞こえないと判断した場合には、警報音を発生させるとともに、照明を点滅または点灯させる制御を行ってもよい。この場合にも、警報音が聞こえる場合には、警報音のみ報知し、照明は点灯または点滅されないので、全ての場合に警報音および照明により異常の報知を行う場合よりも消費電力が大きくなるのを抑制することができる。
【００６２】
また、上記実施形態では、警報音がユーザに聞こえないと判断した場合には、照明を点滅させた例について示したが、本発明はこれに限られない。たとえば、照明を点灯させるようにしてもよい。
【００６３】
また、上記実施形態では、火災センサの異常を報知する際に赤ＬＥＤを第１のパターンで点滅させ、室内センサの異常を報知する際に青ＬＥＤを第２のパターンで点滅させ、室外センサの異常を報知する際に緑ＬＥＤを第３のパターンで点滅させた例について示したが、本発明はこれに限られない。たとえば、赤、青および緑の色の種類を設けずに、赤、青、緑または白一色で、かつ、各異常に対応した上記第１〜第３のパターンで照明を点滅させてもよいし、上記第１〜第３のパターンを設けずに、各異常に対応した赤、青または緑のＬＥＤで色のみ異ならせて照明を点灯または点滅させてもよい。また、色のパターンおよび点滅のパターンを設けずに、点灯または点滅で異常の報知を行ってもよい。
【００６４】
また、上記実施形態では、警報音がユーザに聞こえると判断した場合に、Ｂｌｕｅｔｏｏｔｈ通信可能なヘッドフォンの音量を、Ｂｌｕｅｔｏｏｔｈモジュールを介して、下げるように構成した例について示したが、本発明はこれに限られない。たとえば、Ｂｌｕｅｔｏｏｔｈ通信をすることができないヘッドフォンの場合には、オーディオ装置の音量をＬＡＮ通信によって下げるようにしてもよいし、赤外線通信など、その他の通信方法によりヘッドフォンの音量を下げるようにしてもよい。
【００６５】
また、上記実施形態では、火災センサ、室内センサおよび室外センサのいずれかに対応する３つの警報パターンの例について示したが、本発明はこれに限られない。たとえば、上記センサ以外にセンサが設けられている場合には、上記センサ以外のセンサに対応する警報パターンを新たに設けるようにしてもよい。
【００６６】
また、上記実施形態では、警報音を報知するスピーカをセキュリティ装置に設けた例について示したが、本発明はこれに限られない。たとえば、オーディオ装置のスピーカなど、他の装置のスピーカにより警報音を報知してもよいし、別途新たに設けたスピーカ装置により警報音を報知してもよい。
【００６７】
また、上記実施形態では、警報音がユーザに聞こえると判断した場合に、ヘッドフォン、テレビジョン装置、オーディオ装置など音を発する機器の音量を下げるように構成した例について示したが、本発明はこれに限られない。たとえば、ヘッドフォン、テレビジョン装置、オーディオ装置など音を発する機器の音を消すように制御してもよいし、音を発する機器の電源をオフにするように制御してもよい。
【符号の説明】
【００６８】
１  セキュリティシステム
１０  セキュリティ装置
１１  本体（セキュリティ装置本体）
１２  表示部
１４  制御部
１６  通信制御部（通信部）
１７  特定小電力無線モジュール（通信部）
１８  Ｂｌｕｅｔｏｏｔｈモジュール（通信部）
１９  スピーカ（報知部）
２０  マイクロフォン（音検知部）
２１  テレビジョン装置（音を発する機器）
２２  オーディオ装置（音を発する機器）
３０  ヘッドフォン（音を発する機器）
４０  携帯端末
８０  照明
【図１】
2011081521.tif 000003
【図２】
2011081521.tif 000004
【図３】
2011081521.tif 000005
【図４】
2011081521.tif 000006